(57)【要約】【課題】液晶パネルに対するＡＣ駆動制御を改良し、様々な信号処理データの出力においても電圧の累積を発生させることのない制御を実現する。【解決手段】注目画素（または画素ライン）において時間方向で同じカテゴリの信号処理を実行する画素の組みを設定し、この同じ信号処理ペアを１組として、極性としての＋と−とを交互に切り替えるＡＣ駆動を実行する。この処理によって、それぞれの同一信号処理ペアの表示において［＋］，［−］の交互に切り替えが実行され、＋，−のバランスが保たれ、［＋］または［−］の電圧の累積を発生させることがなく、焼き付きの発生可能性を低減することができる。【選択図】図３
2007304206.tif 000002
【特許請求の範囲】
【請求項１】
液晶パネルからなる表示部と、
前記表示部に対する画像表示態様に基づいて信号処理を実行する映像信号処理部と、
前記映像信号処理部の信号処理結果を入力し、前記表示部を構成する液晶パネルに対する印加電圧を制御することで映像表示制御を行なうＡＣ駆動制御部とを有し、
前記ＡＣ駆動制御部は、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とする画像表示装置。
【請求項２】
前記画像表示装置は、
前記表示部に対する画像表示態様に基づいてＡＣ駆動パターンを決定するＡＣ駆動パターン決定部を有し、
前記ＡＣ駆動制御部は、
前記ＡＣ駆動パターン決定部において決定されたＡＣ駆動パターンに従って、前記同一信号処理ペアごとに＋と−の極性を交互に切り替えるＡＣ駆動制御を実行する構成であることを特徴とする請求項１に記載の画像表示装置。
【請求項３】
前記ＡＣ駆動制御部は、
前記映像信号処理部からの指示信号を入力し、該指示信号に基づいて前記同一信号処理ペアごとに＋と−の極性を交互に切り替えるＡＣ駆動制御を実行する構成であることを特徴とする請求項１に記載の画像表示装置。
【請求項４】
前記ＡＣ駆動制御部は、
前記同一信号処理ペアとして、
ＩＰ変換において生成する補間ライン画素であり出力レベルの低下処理が実行された補間画素ペアと、
前記補間ライン以外のオリジナル画素ペアを抽出し、
前記補間画素ペアを構成する各補間画素ごとに極性の切り替えを行なうとともに、前記オリジナル画素ペアを構成する各オリジナル画素ごとに極性の切り替えを実行する構成であることを特徴とする請求項１に記載の画像表示装置。
【請求項５】
前記ＡＣ駆動制御部は、
ｎ倍速化（ｎは２以上の整数）処理のなされた画像データから前記補間画素ペアと、前記オリジナル画素ペアを抽出し、補間画素ごとの極性切り替えと、オリジナル画素ごとの極性切り替えを実行する構成であることを特徴とする請求項４に記載の画像表示装置。
【請求項６】
前記映像信号処理部は、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを前記ＡＣ駆動制御部に交互に出力する出力制御部を有し、
前記ＡＣ駆動制御部は、
前記同一信号処理ペアとして、
前記高域強調サブフレームに対応する高域強調サブフレーム対応画素ペアと、
前記高域抑圧サブフレームに対応する高域抑圧サブフレーム対応画素ペアを抽出し、
前記高域強調サブフレーム対応画素ペアを構成する各画素ごとに極性の切り替えを行なうとともに、前記高域抑圧サブフレーム対応画素ペアを構成する各画素ごとに極性の切り替えを実行する構成であることを特徴とする請求項１に記載の画像表示装置。
【請求項７】
前記映像信号処理部は、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に出力する第１出力制御部と、
前記第１出力制御部の出力するサブフレーム画像の出力レベル調整を行なうゲイン制御部と、
前記第１出力制御部の出力と、前記ゲイン制御部の出力を入力し、前記ＩＰ変換部の生成した補間画素をゲイン制御部の出力する出力レベル調整信号としたレベル調整補間画素とし、補間画素以外のオリジナル画素信号を前記第１出力制御部の出力するレベル非調整信号としたレベル非調整オリジナル画素として前記ＡＣ駆動制御部に出力する出力制御部を有し、
前記ＡＣ駆動制御部は、
前記同一信号処理ペアとして、
（ａ）前記高域強調サブフレームに含まれるオリジナル画素からなる高域強調サブフレームオリジナル画素ペアと、
（ｂ）前記高域強調サブフレームに含まれるレベル調整のなされた補間画素からなる高域強調サブフレーム補間画素ペアと、
（ｃ）前記高域抑圧サブフレームに含まれるオリジナル画素からなる高域抑圧サブフレームオリジナル画素ペアと、
（ｄ）前記高域抑圧サブフレームに含まれるレベル調整のなされた補間画素からなる高域抑圧サブフレーム補間画素ペアを抽出し、
前記（ａ）〜（ｄ）の各画素ペアを構成する各画素ごとに極性の切り替えを実行する構成であることを特徴とする請求項１に記載の画像表示装置。
【請求項８】
液晶パネルからなる表示部の制御を実行する制御信号を生成する制御信号生成装置であり、
映像信号処理部の信号処理結果を入力し、前記表示部を構成する液晶パネルに対する印加電圧を制御することで映像表示制御を行なうＡＣ駆動制御部を有し、
前記ＡＣ駆動制御部は、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とする制御信号生成装置。
【請求項９】
前記制御信号生成装置は、
前記表示部に対する画像表示態様に基づいてＡＣ駆動パターンを決定するＡＣ駆動パターン決定部を有し、
前記ＡＣ駆動制御部は、
前記ＡＣ駆動パターン決定部において決定されたＡＣ駆動パターンに従って、前記同一信号処理ペアごとに＋と−の極性を交互に切り替えるＡＣ駆動制御を実行する構成であることを特徴とする請求項８に記載の制御信号生成装置。
【請求項１０】
前記ＡＣ駆動制御部は、
前記映像信号処理部からの指示信号を入力し、該指示信号に基づいて前記同一信号処理ペアごとに＋と−の極性を交互に切り替えるＡＣ駆動制御を実行する構成であることを特徴とする請求項８に記載の制御信号生成装置。
【請求項１１】
表示部を構成する液晶パネルに対する印加電圧を制御することで映像表示制御を行なうＡＣ駆動制御装置であり、
液晶パネルの各画素について、同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とするＡＣ駆動制御装置。
【請求項１２】
画像表示装置において画像処理を実行する画像表示制御方法であり、
映像信号処理部において、液晶パネルからなる表示部に対する画像表示態様に基づいて信号処理を実行する映像信号処理ステップと、
ＡＣ駆動制御部において、前記映像信号処理部の信号処理結果を入力し、前記表示部を構成する液晶パネルに対する印加電圧を制御することで映像表示制御を行なうＡＣ駆動制御ステップを有し、
前記ＡＣ駆動制御ステップは、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行することを特徴とする画像表示制御方法。
【請求項１３】
画像表示装置において画像処理を実行させるコンピュータ・プログラムであり、
映像信号処理部において、液晶パネルからなる表示部に対する画像表示態様に基づいて信号処理を実行させる映像信号処理ステップと、
ＡＣ駆動制御部において、前記映像信号処理部の信号処理結果を入力し、前記表示部を構成する液晶パネルに対する印加電圧を制御することで映像表示制御を行なわせるＡＣ駆動制御ステップを有し、
前記ＡＣ駆動制御ステップは、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行させるステップであることを特徴とするコンピュータ・プログラム。
【発明の詳細な説明】
【技術分野】
【０００１】
本発明は、画像表示装置、制御信号生成装置、および画像表示制御方法、並びにコンピュータ・プログラムに関する。さらに、詳細には、ＡＣ駆動を行なう液晶表示装置の表示制御を行なう画像表示装置、制御信号生成装置、および画像表示制御方法、並びにコンピュータ・プログラムに関する。
【背景技術】
【０００２】
液晶ディスプレイ（ＬＣＤ）は、電極の形成された２枚の基板間に液晶を封入して、電極間に所定の電圧を印加して、液晶の配向状態を変化させて光透過率を制御して表示を行なう方式となっている。しかし、長期間、一定方向の直流電圧を印加しつづけると、液晶分子の配向状態が固定される、いわゆる焼き付きが発生する。
【０００３】
このため、液晶を利用した表示装置、テレビ、モニタ、プロジェクタ等（以下まとめてＬＣＤとする）では液晶の残像特性の改善、焼き付き防止の為に液晶に与える電荷の極性を周期的に＋、−を切り替える所謂ＡＣ駆動を行っている。ＡＣ駆動の方法について、図１を参照して説明する。図１は、表示部１１に表示されるフレーム画像の垂直（縦）方向の表示画素を時系列に示している。入力画像は６０Ｈｚ画像であり、ｔ１，ｔ２，ｔ３，ｔ４の各々のフレーム間隔は、１／６０ｓｅｃである。
【０００４】
図に示す方式では、ｔ１，ｔ２，ｔ３，ｔ４の各時間のフレーム画像において、垂直ライン毎（図の縦方向）に＋と−を切り替え、さらに、フレーム毎（時間軸方向）においても、＋と−とを交互に切り替える方法を示している。
【０００５】
さらに、同一フレーム内の水平１ライン内でもピクセル毎に＋と−を切り替え、それをライン毎に切り替え、さらにそれをフレーム毎に切り替えるＡＣ駆動方法もある。何れにせよ特定の画素を時間方向に観察すると＋と−が交互に現れることになる。これは全て「一般的な自然画像を表示する場合、ある１画素の電荷極性を時間方向で＋、−交互に与えれば直流成分は累積しない」と言う前提に基づいている。このようなＡＣ駆動方式によって焼き付きの防止がなされる。なお、ＡＣ駆動方式を開示した従来技術としては、例えば特許文献１がある。
【０００６】
また、ＬＣＤは、点順次インパルス駆動であるＣＲＴと異なり面ホールド表示による表示を行う。すなわち、例えば一般的なフレーム周波数６０Ｈｚで動作する場合、１つのフレームの表示期間（１／６０ｓｅｃ＝１６．７ｍｓｅｃ）毎にディスプレイ面全体で同一の画像をホールドする面ホールド型の表示を行なう。
【０００７】
このような面ホールド型表示を行なう場合、インタレース信号をプログレッシブ信号に変換するＩＰ変換を実行して表示することが行なわれる。これは、画像表示に適用するコンテンツや放送信号の多くが、ＣＲＴ対応のインタレース方式に従った画像データとして生成されているからである。
【０００８】
インタレース方式に従った画像データは、１つの画像を２フィールドで構成し、まず、最初のフィールドで画面の上から１本おきに水平走査線を走査して下端に至った後、再度、上から、走査されていない１本おきの走査線を次フィールドで走査する処理によって表示される。ＬＣＤ等、面ホールド型の表示を行なう表示装置において、このようなインタレース方式の画像コンテンツの表示を行なうと、各表示フレームにおいて、表示画像信号が存在するラインと存在しないラインが交互に発生しフリッカが目立ち、かつ輝度が半減するという問題を発生させる。この問題を解決するため、インタレース信号をプログレッシブ信号に変換するＩＰ変換が実行される。
【０００９】
ＩＰ変換においては、インタレース信号に含まれる信号の無いラインの信号を補間処理によって生成する。この補間処理によって生成した擬似的な信号を適用してインタレース信号をプログレッシブ信号として全ての画素に信号を含むプログレッシブ信号として表示が実行される。しかし、プログレッシブ信号には補間によって生成した画素データが含まれ、オリジナルコンテンツとは異なる画像になるという問題点があり、オリジナルコンテンツと同等のインタレース信号の表示を実現するため、補間画素を表示しない、すなわち黒画素とする表示処理が行われる場合がある。すなわち、図２に示すように、ＩＰ変換によって生成した補間画素の輝度レベルを低下させて表示しない構成として、インタレース信号に含まれるオリジナルの画素のみを表示する構成である。
【００１０】
しかし、このような表示処理を実行して、図１を参照して説明したＡＣ駆動を実行すると、図２に示すように、例えば、画素１２は、時間ｔ１において［＋］の印加電圧の下にオリジナル画素の表示が実行され、時間ｔ２において［−］の印加電圧の下に輝度レベル０の画素表示が実行され、時間ｔ３において［＋］の印加電圧の下にオリジナル画素の表示が実行され、時間ｔ４において［−］の印加電圧の下に輝度レベル０の画素表示が実行されるというシーケンスとなる。時間ｔ１，ｔ３における輝度レベル０の画素表示は、実質的に印加電圧が０であり、結果として、液晶表示装置の画素１２に対応する画素部分には、［＋］の電圧が累積してしまい、焼き付きを発生させることになる。他の画素部分においても同様の状況となる。
【特許文献１】特開２００３−３６０６０号公報
【発明の開示】
【発明が解決しようとする課題】
【００１１】
本発明は、このような問題点に鑑みてなされたものであり、ＡＣ駆動による表示制御を実行する表示装置において、出力レベルの調整処理などが実行された場合においても、印加電圧の偏りの発生を抑制し電化の直流累積を防止可能とした画像表示装置、制御信号生成装置、および画像表示制御方法、並びにコンピュータ・プログラムを提供することを目的とする。
【課題を解決するための手段】
【００１２】
本発明の第１の側面は、
液晶パネルからなる表示部と、
前記表示部に対する画像表示態様に基づいて信号処理を実行する映像信号処理部と、
前記映像信号処理部の信号処理結果を入力し、前記表示部を構成する液晶パネルに対する印加電圧を制御することで映像表示制御を行なうＡＣ駆動制御部とを有し、
前記ＡＣ駆動制御部は、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とする画像表示装置にある。
【００１３】
さらに、本発明の画像表示装置の一実施態様において、前記画像表示装置は、前記表示部に対する画像表示態様に基づいてＡＣ駆動パターンを決定するＡＣ駆動パターン決定部を有し、前記ＡＣ駆動制御部は、前記ＡＣ駆動パターン決定部において決定されたＡＣ駆動パターンに従って、前記同一信号処理ペアごとに＋と−の極性を交互に切り替えるＡＣ駆動制御を実行する構成であることを特徴とする。
【００１４】
さらに、本発明の画像表示装置の一実施態様において、前記ＡＣ駆動制御部は、前記映像信号処理部からの指示信号を入力し、該指示信号に基づいて前記同一信号処理ペアごとに＋と−の極性を交互に切り替えるＡＣ駆動制御を実行する構成であることを特徴とする。
【００１５】
さらに、本発明の画像表示装置の一実施態様において、前記ＡＣ駆動制御部は、前記同一信号処理ペアとして、ＩＰ変換において生成する補間ライン画素であり出力レベルの低下処理が実行された補間画素ペアと、前記補間ライン以外のオリジナル画素ペアを抽出し、前記補間画素ペアを構成する各補間画素ごとに極性の切り替えを行なうとともに、前記オリジナル画素ペアを構成する各オリジナル画素ごとに極性の切り替えを実行する構成であることを特徴とする。
【００１６】
さらに、本発明の画像表示装置の一実施態様において、前記ＡＣ駆動制御部は、ｎ倍速化（ｎは２以上の整数）処理のなされた画像データから前記補間画素ペアと、前記オリジナル画素ペアを抽出し、補間画素ごとの極性切り替えと、オリジナル画素ごとの極性切り替えを実行する構成であることを特徴とする。
【００１７】
さらに、本発明の画像表示装置の一実施態様において、前記映像信号処理部は、入力画像フレームを時分割して複数のサブフレームを生成するフレーム制御部と、前記フレーム制御部の生成したサブフレームに対するフィルタリング処理を行い、高域強調サブフレームを生成する高域強調サブフレーム生成部と、前記フレーム制御部の生成したサブフレームに対するフィルタリング処理を行い、高域抑圧サブフレームを生成する高域抑圧サブフレーム生成部と、前記高域強調サブフレーム生成部の生成した高域強調サブフレームと、前記高域抑圧サブフレーム生成部の生成した高域抑圧サブフレームとを前記ＡＣ駆動制御部に交互に出力する出力制御部を有し、前記ＡＣ駆動制御部は、前記同一信号処理ペアとして、前記高域強調サブフレームに対応する高域強調サブフレーム対応画素ペアと、前記高域抑圧サブフレームに対応する高域抑圧サブフレーム対応画素ペアを抽出し、前記高域強調サブフレーム対応画素ペアを構成する各画素ごとに極性の切り替えを行なうとともに、前記高域抑圧サブフレーム対応画素ペアを構成する各画素ごとに極性の切り替えを実行する構成であることを特徴とする。
【００１８】
さらに、本発明の画像表示装置の一実施態様において、前記映像信号処理部は、入力画像フレームを時分割して複数のサブフレームを生成するフレーム制御部と、前記フレーム制御部の生成したサブフレームに対するフィルタリング処理を行い、高域強調サブフレームを生成する高域強調サブフレーム生成部と、前記フレーム制御部の生成したサブフレームに対するフィルタリング処理を行い、高域抑圧サブフレームを生成する高域抑圧サブフレーム生成部と、前記高域強調サブフレーム生成部の生成した高域強調サブフレームと、前記高域抑圧サブフレーム生成部の生成した高域抑圧サブフレームとを交互に出力する第１出力制御部と、前記第１出力制御部の出力するサブフレーム画像の出力レベル調整を行なうゲイン制御部と、前記第１出力制御部の出力と、前記ゲイン制御部の出力を入力し、前記ＩＰ変換部の生成した補間画素をゲイン制御部の出力する出力レベル調整信号としたレベル調整補間画素とし、補間画素以外のオリジナル画素信号を前記第１出力制御部の出力するレベル非調整信号としたレベル非調整オリジナル画素として前記ＡＣ駆動制御部に出力する出力制御部を有し、前記ＡＣ駆動制御部は、前記同一信号処理ペアとして、
（ａ）前記高域強調サブフレームに含まれるオリジナル画素からなる高域強調サブフレームオリジナル画素ペアと、
（ｂ）前記高域強調サブフレームに含まれるレベル調整のなされた補間画素からなる高域強調サブフレーム補間画素ペアと、
（ｃ）前記高域抑圧サブフレームに含まれるオリジナル画素からなる高域抑圧サブフレームオリジナル画素ペアと、
（ｄ）前記高域抑圧サブフレームに含まれるレベル調整のなされた補間画素からなる高域抑圧サブフレーム補間画素ペアを抽出し、
前記（ａ）〜（ｄ）の各画素ペアを構成する各画素ごとに極性の切り替えを実行する構成であることを特徴とする。
【００１９】
さらに、本発明の第２の側面は、
液晶パネルからなる表示部の制御を実行する制御信号を生成する制御信号生成装置であり、
映像信号処理部の信号処理結果を入力し、前記表示部を構成する液晶パネルに対する印加電圧を制御することで映像表示制御を行なうＡＣ駆動制御部を有し、
前記ＡＣ駆動制御部は、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とする制御信号生成装置にある。
【００２０】
さらに、本発明の制御信号生成装置の一実施態様において、前記制御信号生成装置は、前記表示部に対する画像表示態様に基づいてＡＣ駆動パターンを決定するＡＣ駆動パターン決定部を有し、前記ＡＣ駆動制御部は、前記ＡＣ駆動パターン決定部において決定されたＡＣ駆動パターンに従って、前記同一信号処理ペアごとに＋と−の極性を交互に切り替えるＡＣ駆動制御を実行する構成であることを特徴とする。
【００２１】
さらに、本発明の制御信号生成装置の一実施態様において、前記ＡＣ駆動制御部は、前記映像信号処理部からの指示信号を入力し、該指示信号に基づいて前記同一信号処理ペアごとに＋と−の極性を交互に切り替えるＡＣ駆動制御を実行する構成であることを特徴とする。
【００２２】
さらに、本発明の第３の側面は、
表示部を構成する液晶パネルに対する印加電圧を制御することで映像表示制御を行なうＡＣ駆動制御装置であり、
液晶パネルの各画素について、同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とするＡＣ駆動制御装置にある。
【００２３】
さらに、本発明の第４の側面は、
画像表示装置において画像処理を実行する画像表示制御方法であり、
映像信号処理部において、液晶パネルからなる表示部に対する画像表示態様に基づいて信号処理を実行する映像信号処理ステップと、
ＡＣ駆動制御部において、前記映像信号処理部の信号処理結果を入力し、前記表示部を構成する液晶パネルに対する印加電圧を制御することで映像表示制御を行なうＡＣ駆動制御ステップを有し、
前記ＡＣ駆動制御ステップは、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行することを特徴とする画像表示制御方法にある。
【００２４】
さらに、本発明の第５の側面は、
画像表示装置において画像処理を実行させるコンピュータ・プログラムであり、
映像信号処理部において、液晶パネルからなる表示部に対する画像表示態様に基づいて信号処理を実行させる映像信号処理ステップと、
ＡＣ駆動制御部において、前記映像信号処理部の信号処理結果を入力し、前記表示部を構成する液晶パネルに対する印加電圧を制御することで映像表示制御を行なわせるＡＣ駆動制御ステップを有し、
前記ＡＣ駆動制御ステップは、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行させるステップであることを特徴とするコンピュータ・プログラムにある。
【００２５】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２６】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２７】
本発明の一実施例の構成によれば、液晶パネルに対する印加電圧を制御することで映像表示制御を行なうＡＣ駆動制御部の制御処理を改善し、出力レベルの調整処理などが実行された場合においても、印加電圧の偏りの発生を抑制し電化の直流累積を防止が可能となる。具体的には、ある注目画素（または画素ライン）において時間方向で同じ信号処理を実行する画素の組みを設定し、この同じカテゴリの信号処理ペアを１組として、＋と−とを交互に切り替えるＡＣ駆動を実行する。この処理によって、それぞれの同一信号処理ペアの表示において［＋］，［−］の交互に切り替えが実行され、＋，−のバランスが保たれ、［＋］または［−］の電圧の累積を発生させることがなく、焼き付きの発生可能性を低減させることが可能となる。
【発明を実施するための最良の形態】
【００２８】
以下、図面を参照しながら本発明の画像表示装置、制御信号生成装置、および画像表示制御方法、並びにコンピュータ・プログラムの詳細について説明する。まず、図３を参照して、本発明の画像処理装置の一構成例について説明する。本発明の画像処理装置は図３に示すように映像信号処理部１０１、フレームメモリ１０２、制御部１０３、ユーザ入力部１０４、液晶モジュール１２０を有する。液晶モジュール１２０は、ＡＣ駆動制御部１２１、ＡＣ駆動パターン決定部１２２、データドライバ１２３、液晶パネル１２４を有する。
【００２９】
液晶パネル１２４は、マトリクス状に配置された画素によって構成される液晶パネルからなる表示部であり、ＡＣ駆動制御部１２１、ＡＣ駆動パターン決定部１２２、データドライバ１２３は、液晶パネル１２４の表示制御を実行する制御信号生成装置であり、ＡＣ駆動制御部１２１は、表示部としての液晶パネル１２４の各画素対応の液晶に対する印加電圧を制御する処理を実行する。
【００３０】
表示処理対象となる映像信号は、映像信号処理部１０１に入力され、映像信号処理部１０１において、信号処理、例えばＩＰ変換や、フレームのｎ倍速化処理など、所定の表示態様に応じた映像信号が生成される。映像信号処理部１０１における信号処理に際しては、適宜フレームメモリ１０２が利用され。フレームデータが格納される。映像信号処理部１０１において生成された映像信号は、液晶モジュール１２０のＡＣ駆動制御部１２１に供給される。映像信号処理部１０１からは、さらに、水平同期信号（Ｈ＿Ｓｙｎｃ）および垂直同期信号（Ｖ＿Ｓｙｎｃ）がＡＣ駆動制御部１２１に供給される。
【００３１】
液晶モジュール１２０のＡＣ駆動制御部１２１は、映像信号処理部１０１から入力する映像信号および、水平同期信号（Ｈ＿Ｓｙｎｃ）および垂直同期信号（Ｖ＿Ｓｙｎｃ）に基づいて、データドライバ１２３ａ，ｂを駆動して、液晶パネル１２４に画像データの表示処理を行なう。
【００３２】
ＡＣ駆動パターン決定部１２２は、ＡＣ駆動制御部１２１におけるＡＣ駆動シーケンスを決定する。たとえば、各フレームの各画素ライン毎に印加する電圧の極性［＋］，［−］のパターンを決定して、決定したパターン情報をＡＣ駆動制御部１２１に提供する。ＡＣ駆動制御部１２１は、ＡＣ駆動パターン決定部１２２から入力するＡＣ駆動パターンに従って、データドライバ１２３ａ，ｂを駆動して、液晶パネル１２４に画像データの表示処理を行なう。
【００３３】
本発明の構成におけるＡＣ駆動制御部１２１は、液晶パネル１２４の各画素について、映像信号処理部１０１において同一カテゴリの信号処理が実行される２つの時系列上の画素を同一信号処理ペアとして、該同一信号処理ペアごとに＋と−の極性を交互に切り替えるＡＣ駆動制御を実行する。この処理の具体例については後段で詳細に説明する。
【００３４】
なお、図３に示す構成例では、ＡＣ駆動パターン決定部１２２を液晶モジュール１２０内の独立構成要素として設定した例を示しているが、ＡＣ駆動パターン決定処理は、映像信号処理部１０１において実行する構成としてもよい。この処理構成については後段で説明する。
【００３５】
ＡＣ駆動パターン決定部１２２は、例えば、先に説明したＩＰ変換処理によって生成される補間画素の出力レベルの調整処理などが実行される場合においても、印加電圧の偏りの発生を抑制し電化の直流累積を防止可能とするＡＣ駆動パターンを決定して、決定パターン情報をＡＣ駆動制御部１２１に提供する。
【００３６】
なお、ＡＣ駆動パターン決定部１２２は、液晶パネル１２４に表示される画像の態様に応じてＡＣ駆動パターンを決定する。液晶パネル１２４に表示される画像の態様は、例えばユーザ入力部１０４においてユーザが設定可能であり、ユーザ入力部１０４を介して入力された情報が制御部１０３に入力され、制御部１０３から、液晶モジュール１２０のＡＣ駆動パターン決定部１２２に入力され、ＡＣ駆動パターン決定部１２２は、入力情報に基づいて、表示態様に応じたＡＣ駆動パターンを決定する。以下、複数の表示態様に応じた処理例について説明する。
処理例１．ＩＰ変換および補間画素の出力レベル調整を実行した画像の表示制御
処理例２．ＩＰ変換とｎ倍速化処理、および補間画素の出力レベル調整を実行した画像の表示制御
処理例３．高域抑圧サブフレームと、高域強調サブフレームとを交互に出力する画像の表示制御
処理例４．高域抑圧サブフレームと、高域強調サブフレームとを交互に出力し、補間画素の出力レベル調整を実行した画像の表示制御
【００３７】
［処理例１］
本発明の処理例１として、ＩＰ変換および補間画素の出力レベル調整を実行した画像の表示制御について図４以下を参照して説明する。図４には、表示部２００に表示されるフレーム画像の垂直（縦）方向の表示画素を時系列に示している。入力画像は６０Ｈｚ画像であり、ｔ１，ｔ２，ｔ３，ｔ４の各々のフレーム間隔は、１／６０ｓｅｃである。
【００３８】
先に、図２を参照して説明したように、面ホールド型のディスプレイにおいてインタレース信号を表示する際、フリッカの発生などを防止するため、インタレース信号をプログレッシブ信号に変換するＩＰ変換が実行される。ＩＰ変換においては、インタレース信号に含まれる信号の無いラインの信号を補間処理によって生成する。この補間処理によって生成した擬似的な信号を適用してインタレース信号をプログレッシブ信号として全ての画素に信号を含むプログレッシブ信号として表示が実行される。
【００３９】
しかし、プログレッシブ信号には補間によって生成した画素データが含まれ、オリジナルコンテンツとは異なる画像になるという問題点があり、オリジナルコンテンツと同等のインタレース信号の表示を実現するため、補間画素を表示しない、すなわち黒画素とする表示処理が行われる場合がある。先に、図２を参照して説明した処理である。
【００４０】
このような表示処理において、従来型のＡＣ駆動、すなわち各フレームにおいて、対応する同一画素の駆動を［＋］，［−］を交互に切り替えて実行すると、図２を参照して説明したように、１フレームおきに設定される補間画素の輝度レベル０の画素表示は、実質的に印加電圧が０となり、結果として、オリジナルのインタレース信号に含まれる画素表示は、［＋］または［−］のいずれか一方の印加電圧によって実行され、結果として、［＋］または［−］の電圧が累積してしまい、焼き付きを発生させることになる。
【００４１】
本処理例では、このような状況を発生させないために、図４に示すように、ある注目画素（または画素ライン）において時間方向で同じ信号処理を実行する画素の組みを設定し、この同じ信号処理ペアを１組として、＋と−とを交互に切り替えるＡＣ駆動を実行する。
【００４２】
図４に示す例では、例えば画素２０１に注目した場合、輝度レベルの変更されないオリジナル画素の表示が実行されるのは、時間ｔ１，ｔ３，ｔ５，ｔ７・・・であり、輝度レベルを低下させて補間画素の表示が実行されるのは、時間ｔ２，ｔ４，ｔ６，ｔ８・・・である。
【００４３】
このような画素の表示が行なわれる場合、同じ信号処理が実行されるペアは、図に示すように、
（１）オリジナル画素からなるペアＡ、
（２）補間画素からなるペアＢ、
これらの組み合わせとなる。
【００４４】
本処理例では、この同じ信号処理ペアを１組として、＋と−とを交互に切り替えるＡＣ駆動を実行する。すなわち、（１）オリジナル画素からなるペアＡを１組として、液晶に与える電化の極性を＋、−の組み合わせに設定し、さらに、（２）補間画素からなるペアＢについても、これを１組として液晶に与える電荷の極性を＋、−の組み合わせに設定する。すなわち、ＡＣ駆動制御部１２１は、液晶パネル１２４の各画素について、映像信号処理部１０１において同一カテゴリの信号処理が実行される２つの時系列上の画素を同一信号処理ペアとして、該同一信号処理ペアごとに＋と−の極性を交互に切り替えるＡＣ駆動制御を実行する。
【００４５】
このようなＡＣ駆動処理を実行することで、例えば画素２０１に注目した場合、輝度レベルの変更されないオリジナル画素の表示が実行されるのは、時間ｔ１，ｔ３，ｔ５，ｔ７・・・であり、この各時間対応のフレームにおいて［＋］，［−］の交互切り替えが実行され、さらに、輝度レベルを低下させて補間画素の表示が実行されるのは、時間ｔ２，ｔ４，ｔ６，ｔ８・・・であり、この各時間対応のフレームにおいて［＋］，［−］の交互切り替えが実行されることになる。
【００４６】
結果として、オリジナル画素の表示が実行される時間ｔ１，ｔ３，ｔ５，ｔ７・・・において［＋］，［−］の交互に切り替えが実行され、＋，−のバランスが保たれ、［＋］または［−］の電圧の累積を発生させることがない。また、レベル制御のなされた補間画素の表示が実行されるのは、時間ｔ２，ｔ４，ｔ６，ｔ８・・・においても［＋］，［−］の交互に切り替えが実行され、＋，−のバランスが保たれ、［＋］または［−］の電圧の累積を発生させることがない。
【００４７】
本処理例では、４フレームを周期として、［＋］［＋］［−］［−］のパターンでのＡＣ駆動が繰り返し実行されることになる。この処理例における各ラインに対応するＡＣ駆動の極性設定例について、図５を参照して説明する。
【００４８】
図５には、
（ａ）水平同期信号、
（ｂ）垂直動機信号、
（ｃ）各ライン極性（１〜４フレーム）
の各信号を示している。
【００４９】
表示部２５０には、実線で示すオリジナルラインと、ＩＰ変換における補間処理によって生成される点線で示す補間ラインを示している。フレーム毎にオリジナルライント補間ラインとは交互に入れ替わって表示される。
【００５０】
（ｃ）各ライン極性（１〜４フレーム）において、例えば１フレーム目では、各ライン毎に、すなわちライン１，２，３，・・について、ＡＣ駆動の極性は［＋］，［−］，［＋］，［−］・・・として設定され、２フレーム目でも、ライン１，２，３，・・について、ＡＣ駆動の極性は［＋］，［−］，［＋］，［−］・・・として設定され、３フレーム目では、ライン１，２，３，・・について、ＡＣ駆動の極性は逆極性となり［−］，［＋］，［−］，［＋］・・・として設定され、４フレーム目でも、ライン１，２，３，・・について、ＡＣ駆動の極性は［−］，［＋］，［−］［＋］・・・として設定される。
【００５１】
１フレームと３フレーム目の対応画素（ライン）が、図４を参照して説明した同じ信号処理ペアであり、２フレームと４フレーム目の対応画素（ライン）も同じ信号処理ペアに相当する。すなわち、オリジナルラインと補間ラインは、１フレーム置きに同一ラインに設定される。従って、図５の（ｃ）各ライン極性（１〜４フレーム）の全てのラインについて、時間軸方向（上から下）に、極性パターンは、［＋］［＋］［−］［−］の繰り返しパターンとして設定される。
【００５２】
このように、本処理例では、ＡＣ駆動を４フレーム周期で実行することで、オリジナル画素の表示が実行される時間ｔ１，ｔ３，ｔ５，ｔ７・・・において［＋］，［−］の交互に切り替えが実行され、＋，−のバランスが保たれ、［＋］または［−］の電圧の累積を発生させることがない。また、補間画素の表示が実行される時間ｔ２，ｔ４，ｔ６，ｔ８・・・においても［＋］，［−］の交互に切り替えが実行され、＋，−のバランスが保たれ、［＋］または［−］の電圧の累積を発生させることがない。結果として、表示期間を継続しても、累積電化の発生が抑えられ、焼き付きの発生可能性を低減させることができる。
【００５３】
［処理例２］
次に、ＩＰ変換とｎ倍速化処理（ｎは２以上の整数）、および補間画素の出力レベル調整を実行した画像の表示制御について説明する。ここでは、処理例１における表示処理を倍速化した表示処理を実行する場合の処理例について説明する。例えば入力画像が６０Ｈｚ画像データであるとき、これを倍速化して１２０Ｈｚ画像として表示する処理例である。
【００５４】
ＬＣＤなどの面ホールド型の表示では、網膜残像による動画ぼけが発生する。すなわち、面ホールド型表示部に動く物体を表示した場合、目が移動表示物体を追従視することにより網膜上で画像がスリップして移動物体がぼけて見える所謂ブラー（Ｂｌｕｒｒｉｎｇ）現象が発生し動画品質を劣化させることがある。
【００５５】
このブラー（Ｂｌｕｒｒｉｎｇ）現象を低減するための１つの構成として、高速応答性を有する表示装置を適用することが有効であることが知られている。例えば１２０Ｈｚで表示切り替えを実行して、実際の表示画像を１／１２０ｓｅｃの期間に表示して、次の１／１２０ｓｅｃの期間に黒を表示し、次の１／１２０ｓｅｃの期間に次の実際の画像を表示し、さらに次に黒を表示するというように、表示されるフレーム間に黒を挿入することでインパルス駆動表示に近づけるものである。インパルス駆動表示では、実際の表示期間が短く設定されるため、ブラー（Ｂｌｕｒｒｉｎｇ）現象が低減されることが知られている。
【００５６】
面ホールド型の表示装置において、例えば６０Ｈｚ画像を倍速化して１２０Ｈｚ画像として表示することで、インパルス駆動表示に近づけることが可能となる。この処理のために、所謂黒挿入が提案されている。しかし、このような黒挿入を行った場合、先に図２を参照して説明したと同様、従来型のＡＣ駆動を行なうと、［＋］または［−］の印加電圧の累積が発生し焼き付きの発生につながることになる。
【００５７】
本発明に従ったＡＣ駆動処理例について、図６を参照して説明する。図６には、表示部に表示されるフレーム画像の垂直（縦）方向の表示画素を時系列に示している。例えば６０Ｈｚ画像を倍速化して生成した１２０Ｈｚ画像であり、ｔ１，ｔ２，ｔ３，ｔ４・・・の各々のフレーム間隔は、１／１２０ｓｅｃである。倍速化処理は、例えば６０Ｈｚの画像データを２つのサブフレームに時分割して生成される。この場合、図に示すように、同一ラインで、２フレームずつ連続してオリジナル画素または補間画素が表示される。すなわち１／１２０ｓｅｃ間隔で、［オリジナル画素］［オリジナル画素］、［補間画素］［補間画素］の表示が、繰り返し行なわれる。
【００５８】
本発明の画像処理装置では、先の処理例１において説明したように、ある注目画素（または画素ライン）において時間方向で同じ信号処理を実行する画素の組みを設定し、この同じ信号処理ペアを１組として、＋と−とを交互に切り替えるＡＣ駆動を実行する。
【００５９】
図６に示す１２０Ｈｚ画像の表示処理例では、例えば注目画素２７１に注目した場合、輝度レベルの変更されないオリジナル画素の表示が実行されるのは、時間ｔ１，ｔ２，ｔ５，ｔ６・・・であり、輝度レベルを低下させて補間画素の表示が実行されるのは、時間ｔ３，ｔ４，ｔ７，ｔ８・・・である。
【００６０】
このような画素の表示が行なわれる場合、同じ信号処理が実行されるペアは、図に示すように、
（１）オリジナル画素からなるペアＡ、
（２）補間画素からなるペアＢ、
これらの組み合わせとなる。
【００６１】
本処理例では、この同じ信号処理ペアを１組として、＋と−とを交互に切り替えるＡＣ駆動を実行する。すなわち、（１）オリジナル画素からなるペアＡを１組として、液晶に与える電化の極性を＋、−の組み合わせに設定し、さらに、（２）補間画素からなるペアＢについても、これを１組として液晶に与える電荷の極性を＋、−の組み合わせに設定する。このように、ＡＣ駆動制御部１２１は、液晶パネル１２４の各画素について、映像信号処理部１０１において同一カテゴリの信号処理が実行される２つの時系列上の画素を同一信号処理ペアとして、該同一信号処理ペアごとに＋と−の極性を交互に切り替えるＡＣ駆動制御を実行する。
【００６２】
このようなＡＣ駆動処理を実行することで、例えば注目画素２７１に注目した場合、輝度レベルの変更されないオリジナル画素の表示が実行されるのは、時間ｔ１，ｔ２，ｔ５，ｔ６・・・であり、この各時間対応のフレームにおいて［＋］，［−］の交互切り替えが実行され、さらに、輝度レベルを低下させて補間画素の表示が実行されるのは、時間ｔ３，ｔ４，ｔ７，ｔ８・・・であり、この各時間対応のフレームにおいて［＋］，［−］の交互切り替えが実行されることになる。
【００６３】
結果として、オリジナル画素の表示において［＋］，［−］の交互に切り替えが実行され、＋，−のバランスが保たれ、［＋］または［−］の電圧の累積を発生させることがない。また、レベル制御のなされた補間画素の表示においても［＋］，［−］の交互に切り替えが実行され、＋，−のバランスが保たれ、［＋］または［−］の電圧の累積を発生させることがない。本処理例では、２フレームを周期として、［＋］［−］のパターンでのＡＣ駆動が繰り返し実行されることになる。
【００６４】
なお、上述した実施例では、６０Ｈｚ画像を１２０Ｈｚ画像に２倍速化した画像の処理例について説明したが、例えば４倍速化を行った場合でも、各同一カテゴリの信号処理ペアを組みとして極性切り替えを行なうことで、上記実施例と同様の効果が得られる。すなわち、ＡＣ駆動制御部１２１において、ｎ倍速化（ｎは２以上の整数）処理のなされた画像データから補間画素ペアと、オリジナル画素ペアを抽出し、補間画素ごとの極性切り替えと、オリジナル画素ごとの極性切り替えを実行する構成とすることで、焼き付きの防止が実現される。
【００６５】
［処理例３］
次に、高域抑圧サブフレームと、高域強調サブフレームとを交互に出力する画像の表示制御について説明する。処理例２では、１２０Ｈｚの倍速化フレーム画像の表示において黒挿入を実行することで、画像のぼけであるブラー（Ｂｌｕｒｒｉｎｇ）現象を低減させた表示に対応する処理例を説明した。
【００６６】
本出願人は、黒挿入とは異なる処理を画像信号に施すことで、輝度レベルの低下やコントラストの低下を抑えてブラー（Ｂｌｕｒｒｉｎｇ）現象を低減させる処理構成を提案し、他の特許出願において開示している。すなわち、ブラー（Ｂｌｕｒｒｉｎｇ）現象の目立つ領域であるコントラスト変化が激しい部分（エッジ）、や輪郭等、周波数の高い画像領域（高域）を抑圧した高域抑圧サブフレームを、高域強調サブフレームの間に表示することで、ブラー（Ｂｌｕｒｒｉｎｇ）現象の効果的な低減を実現し、高域抑圧サブフレームの挿入による画質に対する影響を高域強調サブフレームで補うことで、明るさやコントラストの低下することのない画像表示を実現するものである。
【００６７】
本処理例においては、図３に示す映像信号処理部１０１において、入力映像信号に基づく信号処理を実行して、高域強調サブフレームと高域抑圧サブフレームを生成して出力映像信号として出力する。本処理例に対応する映像信号処理部１０１における映像信号処理構成例について、図７を参照して説明する。図７に示すように映像信号処理部１０１には、フレーム制御部３０１、高域強調サブフレーム生成部３０２と、高域抑圧サブフレーム生成部としてのローパスフィルタ（ＬＰＦ）３０３と、セレクタ３０４を有する。高域強調サブフレーム生成部３０２には、ハイパスフィルタ（ＨＰＦ）３２１と、加算器３２２が含まれる。
【００６８】
入力映像信号は、例えば１つのフレームの表示期間が１／６０ｓｅｃ＝１６．７ｍｓｅｃに設定された入力信号である。すなわち、垂直周波数６０Ｈｚの画像データであり、フレーム制御部３０１は、この６０Ｈｚの画像信号をｎ倍速化する。ｎは１より大きな値である。
【００６９】
フレーム制御部３０１は、入力画像をｎ倍速化して、１つのフレームをｎ個のサブフレームに分割して出力する。例えばｎ＝２とした場合、１つのフレームを２つのサブフレームに時分割して、６０Ｈｚの画像を１２０Ｈｚの画像に変換して後段の高域強調サブフレーム生成部３０２のハイパスフィルタ（ＨＰＦ）３２１と、高域抑圧サブフレーム生成部としてのローパスフィルタ（ＬＰＦ）３０３に出力する。
【００７０】
ハイパスフィルタ（ＨＰＦ）３２１およびローパスフィルタ３０３においては、フレーム制御部３０１から時分割されたサブフレームを交互に入力して、それぞれの入力サブフレームに対する低域カット処理または高域カットを実行して出力する。
【００７１】
ハイパスフィルタ（ＨＰＦ）３２１は、高域通過フィルタ（Ｈｉｇｈ  Ｐａｓｓ  Ｆｉｌｔｅｒ）であり、入力するサブフレーム画像から空間周波数の低い部分をカットして、コントラスト変化が激しい部分（エッジ）や輪郭等、高周波数領域を通過させるフィルタリング処理を実行する。ハイパスフィルタ（ＨＰＦ）３２１の出力データは、加算器３２２において、フィルタリング処理を実行する前のオリジナル画像に基づくサブフレーム画像と加算されて、セレクタ３０４に出力される。加算器３２２の出力は、コントラスト変化が激しい部分（エッジ）や輪郭等、高周波数領域の強調された高域強調サブフレーム画像となる。
【００７２】
一方、ローパスフィルタ（ＬＰＦ）３０３は、低域通過フィルタ（Ｌｏｗ  Ｐａｓｓ  Ｆｉｌｔｅｒ）であり、入力するサブフレーム画像から空間周波数の高い部分をカットして、低周波数領域を通過させるフィルタリング処理を実行する。ローパスフィルタ（ＬＰＦ）３０３の出力データは、セレクタ３０４に出力される。ローパスフィルタ（ＬＰＦ）３０３の出力は、コントラスト変化が激しい部分（エッジ）や輪郭等、高周波数領域が抑圧された高域抑圧サブフレーム画像となる。なお、このＬＰＦ処理は高域が抑圧されるのみであり、低域成分としての直流成分に対する影響はなく、明るさやコントラストが大きく低下することはない。
【００７３】
セレクタ３０４は、加算器３２２の出力である高域強調サブフレームと、ローパスフィルタ（ＬＰＦ）３０３の出力である高域抑圧サブフレームとを、予め定めた出力タイミングで交互に出力する出力制御部として機能する。
【００７４】
例えば、入力画像が６０Ｈｚの画像であり、フレーム制御部３０１において１２０Ｈｚのサブフレームが生成されて、ハイパスフィルタ（ＨＰＦ）３２１とローパスフィルタ（ＬＰＦ）３０３において、それぞれ１２０Ｈｚ対応のサブフレームに対するフィルタリング処理がなされて、これらの結果データがセレクタ３０４に入力される構成とした場合、１／１２０ｓｅｃ毎に、それぞれのサブフレーム画像、すなわち、加算器３２２の出力である高域強調サブフレームと、ローパスフィルタ（ＬＰＦ）３０３の出力である高域抑圧サブフレームを交互に出力する。
【００７５】
出力は、図３に示す液晶モジュール１２０のＡＣ駆動制御部１２１に入力され、所定のＡＣ駆動制御の下、液晶パネル１２４に高域強調サブフレームと高域抑圧サブフレームとが１／１２０ｓｅｃごとに交互に表示されることになる。このように、本処理例においては、ブラー（Ｂｌｕｒｒｉｎｇ）現象の目立つ領域であるコントラスト変化が激しい部分（エッジ）や、輪郭等、周波数の高い画像領域（高域）を抑圧した高域抑圧サブフレームを、高域強調サブフレームの間に表示することで、ブラー（Ｂｌｕｒｒｉｎｇ）現象を低減する。また、高域抑圧サブフレームの挿入による画質に対する影響、例えばコントラスト低下を高域強調サブフレームで補うことで、明るさやコントラストの低下することのない画像表示が実現される。
【００７６】
このような高域強調サブフレームと高域抑圧サブフレームとの交互表示処理におけるＡＣ駆動について図８を参照して説明する。図８には、表示部に表示されるフレーム画像の垂直（縦）方向の表示画素を時系列に示している。例えば６０Ｈｚ画像を倍速化して生成した１２０Ｈｚ画像であり、ｔ１，ｔ２，ｔ３，ｔ４・・・の各々のフレーム間隔は、１／１２０ｓｅｃである。この処理例では、図に示すように、高域強調サブフレームと高域抑圧サブフレームとが１／１２０ｓｅｃごとに交互に表示される。
【００７７】
本発明の画像処理装置では、先の処理例１において説明したように、ある注目画素（または画素ライン）において時間方向で同じ信号処理を実行する画素の組みを設定し、この同じ信号処理ペアを１組として、＋と−とを交互に切り替えるＡＣ駆動を実行する。
【００７８】
図８に示す１２０Ｈｚ画像の表示処理例では、例えば注目画素３５１に注目した場合、高域強調サブフレームに対応する画素が表示されるのは、時間ｔ１，ｔ３，ｔ５，ｔ７・・・であり、高域抑圧サブフレームに対応する画素が表示されるのは、時間ｔ２，ｔ４，ｔ６，ｔ８・・・である。
【００７９】
このような画素の表示が行なわれる場合、同じ信号処理が実行されるペアは、図に示すように、
（１）高域強調サブフレーム画素からなるペアＡ、
（２）高域抑圧サブフレーム画素からなるペアＢ、
これらの組み合わせとなる。
【００８０】
本処理例では、この同じ信号処理ペアを１組として、＋と−とを交互に切り替えるＡＣ駆動を実行する。すなわち、（１）高域強調サブフレーム画素からなるペアＡを１組として、液晶に与える電化の極性を＋、−の組み合わせに設定し、さらに、（２）高域抑圧サブフレーム画素からなるペアＢについても、これを１組として液晶に与える電荷の極性を＋、−の組み合わせに設定する。このように、ＡＣ駆動制御部１２１は、液晶パネル１２４の各画素について、映像信号処理部１０１において同一カテゴリの信号処理が実行される２つの時系列上の画素を同一信号処理ペアとして、該同一信号処理ペアごとに＋と−の極性を交互に切り替えるＡＣ駆動制御を実行する。
【００８１】
このようなＡＣ駆動処理を実行することで、例えば注目画素３５１に注目した場合、高域強調サブフレーム画素の表示が実行されるのは、時間ｔ１，ｔ３，ｔ５，ｔ７・・・であり、この各時間対応のフレームにおいて［＋］，［−］の交互切り替えが実行され、さらに、高域抑圧サブフレーム画素の表示が実行されるのは、時間ｔ２，ｔ４，ｔ６，ｔ８・・・であり、この各時間対応のフレームにおいて［＋］，［−］の交互切り替えが実行されることになる。
【００８２】
結果として、高域強調サブフレーム画素の表示において［＋］，［−］の交互に切り替えが実行され、＋，−のバランスが保たれ、［＋］または［−］の電圧の累積を発生させることがない。また、高域抑圧サブフレーム画素の表示においても［＋］，［−］の交互に切り替えが実行され、＋，−のバランスが保たれ、［＋］または［−］の電圧の累積を発生させることがない。本処理例では、４フレームを周期として、［＋］［−］［−］［＋］のパターンでのＡＣ駆動が繰り返し実行されることになる。
【００８３】
［処理例４］
次に、高域抑圧サブフレームと、高域強調サブフレームとを交互に出力し、補間画素の出力レベル調整を実行した画像の表示制御について説明する。処理例３では、１２０Ｈｚの倍速化フレーム画像の表示において、高域強調サブフレームと高域抑圧サブフレームとの交互表示処理例について説明した。さらに、このような表示処理において、先に説明した処理例２と同様、補間画素の出力レベルを低下させてオリジナルコンテンツと同様の画像表示を行なうことが可能である。処理例４として、このような表示処理を行なう場合のＡＣ駆動処理について説明する。
【００８４】
本処理例においては、図３に示す映像信号処理部１０１において、入力映像信号に基づく信号処理を実行して、高域強調サブフレームと高域抑圧サブフレームを生成し、さらに、補間画素のレベル制御を実行する。本処理例に対応する映像信号処理部１０１における映像信号処理構成例について、図９を参照して説明する。図９に示すように映像信号処理部１０１には、フレーム制御部３０１、高域強調サブフレーム生成部３０２と、高域抑圧サブフレーム生成部としてのローパスフィルタ（ＬＰＦ）３０３と、セレクタ３０４と、ゲイン制御部３７１、セレクタ３７２を有する。高域強調サブフレーム生成部３０２には、ハイパスフィルタ（ＨＰＦ）３２１と、加算器３２２が含まれる。
【００８５】
この構成は、図７を参照して説明した構成に、ゲイン制御部３７１、セレクタ３７２を追加したものである。セレクタ３０４の出力処理までの処理は、図７を参照して説明した信号処理と同様の処理が実行され、セレクタ３０４から高域強調サブフレームと、高域抑圧サブフレームとが交互に出力される。
【００８６】
この高域強調サブフレームと、高域抑圧サブフレームは、さらに、ゲイン制御部３７１と、セレクタ３７２に出力される。ゲイン制御部３７１は、入力する各フレームのゲイン制御を実行する。ゲイン制御は入力画素値信号の出力レベル調整を実行し、出力レベルを１倍以下のレベルに低下させる処理を実行する。すなわち出力信号の輝度レベルを低下させるゲイン制御を実行する。このゲイン低下処理の目的は、ＩＰ変換において補間処理によって生成された補間画素の出力レベルを低下させることが目的である。
【００８７】
セレクタ３７２は、前段のセレクタ３０４から出力される高域強調サブフレームと、高域抑圧サブフレームを入力するとともに、ゲイン制御部３７１においてレベル低下された高域強調サブフレームと、高域抑圧サブフレームを入力して、これらを制御信号に基づいて各ライン単位で選択して出力する。すなわち、ＩＰ変換において補間処理によって生成された画素ラインについては、ゲイン制御部３７１においてレベル低下されたデータを出力し、補間画素ライン以外のオリジナル画素ラインについては、セレクタ３０４から直接入力され、ゲイン制御のなされていないデータを出力する。
【００８８】
このような高域強調サブフレームと高域抑圧サブフレームとの交互表示処理におけるＡＣ駆動について図１０を参照して説明する。図１０には、表示部に表示されるフレーム画像の垂直（縦）方向の表示画素を時系列に示している。例えば６０Ｈｚ画像を倍速化して生成した１２０Ｈｚ画像であり、ｔ１，ｔ２，ｔ３，ｔ４・・・の各々のフレーム間隔は、１／１２０ｓｅｃである。この処理例では、図に示すように、高域強調サブフレームと高域抑圧サブフレームとが１／１２０ｓｅｃごとに交互に表示され、さらに、高域強調サブフレームと高域抑圧サブフレームとに含まれるオリジナル画素ラインの出力レベルは高く設定されるが、補間画素ラインの出力レベルは低下されて出力される。
【００８９】
本発明の画像処理装置では、先の処理例１において説明したように、ある注目画素（または画素ライン）において時間方向で同じ信号処理を実行する画素の組みを設定し、この同じ信号処理ペアを１組として、＋と−とを交互に切り替えるＡＣ駆動を実行する。
【００９０】
図１０に示す１２０Ｈｚ画像の表示処理例では、例えば注目画素３８１に注目した場合、高域強調サブフレームに対応する画素が表示されるのは、時間ｔ１，ｔ３，ｔ５，ｔ７・・・であり、高域抑圧サブフレームに対応する画素が表示されるのは、時間ｔ２，ｔ４，ｔ６，ｔ８・・・である。さらに、高域強調サブフレームに対応する画素が表示される時間ｔ１，ｔ３，ｔ５，ｔ７・・・において、出力レベルが高く設定されたオリジナル画素ラインの表示がおこなわれるのは、時間ｔ１，ｔ５・・のフレームであり、出力レベルが低く設定された補間画素ラインの表示がおこなわれるのは、時間ｔ３，ｔ７・・のフレームである。また、高域抑圧サブフレームに対応する画素が表示される時間ｔ２，ｔ４，ｔ６，ｔ８・・・において、出力レベルが高く設定されたオリジナル画素ラインの表示がおこなわれるのは、時間ｔ２，ｔ６・・のフレームであり、出力レベルが低く設定された補間画素ラインの表示がおこなわれるのは、時間ｔ４，ｔ８・・のフレームである。
【００９１】
このような画素の表示が行なわれる場合、同じ信号処理が実行されるペアは、図に示すように、
（１）高域強調サブフレームオリジナル画素からなるペアＡ、
（２）高域抑圧サブフレームオリジナル画素からなるペアＢ、
（３）高域強調サブフレーム補間画素からなるペアＣ、
（４）高域抑圧サブフレーム補間画素からなるペアＤ、
これらの組み合わせとなる。
【００９２】
本処理例では、この同じ信号処理ペアを１組として、＋と−とを交互に切り替えるＡＣ駆動を実行する。すなわち、（１）高域強調サブフレームオリジナル画素からなるペアＡを１組として、液晶に与える電化の極性を＋、−の組み合わせに設定し、さらに、（２）高域抑圧サブフレームオリジナル画素からなるペアＢについても、これを１組として液晶に与える電荷の極性を＋、−の組み合わせに設定し、さらに、（３）高域強調サブフレーム補間画素からなるペアＣについても、これを１組として液晶に与える電荷の極性を＋、−の組み合わせに設定し、さらに、（４）高域抑圧サブフレーム補間画素からなるペアＤについても、これを１組として液晶に与える電荷の極性を＋、−の組み合わせに設定する。このように、ＡＣ駆動制御部１２１は、液晶パネル１２４の各画素について、映像信号処理部１０１において同一カテゴリの信号処理が実行される２つの時系列上の画素を同一信号処理ペアとして、該同一信号処理ペアごとに＋と−の極性を交互に切り替えるＡＣ駆動制御を実行する。
【００９３】
このようなＡＣ駆動処理を実行することで、例えば注目画素３８１に注目した場合、（１）高域強調サブフレームオリジナル画素の表示が実行されるのは、時間ｔ１，ｔ５，・・・であり、この各時間対応のフレームにおいて［＋］，［−］の交互切り替えが実行され、さらに、（２）高域抑圧サブフレームオリジナル画素の表示が実行されるのは、時間ｔ２，ｔ６，・・・であり、この各時間対応のフレームにおいて［＋］，［−］の交互切り替えが実行され、（３）高域強調サブフレーム補間画素の表示が実行されるのは、時間ｔ３，ｔ７，・・・であり、この各時間対応のフレームにおいて［＋］，［−］の交互切り替えが実行され、さらに、（４）高域抑圧サブフレーム補間画素の表示が実行されるのは、時間ｔ４，ｔ８，・・・であり、この各時間対応のフレームにおいて［＋］，［−］の交互切り替えが実行されることになる。
【００９４】
結果として、それぞれの同一信号処理ペアの表示において［＋］，［−］の交互に切り替えが実行され、＋，−のバランスが保たれ、［＋］または［−］の電圧の累積を発生させることがない。本処理例では、８フレームを周期として、［＋］［−］［＋］［−］［−］［＋］［−］［＋］のパターンでのＡＣ駆動が繰り返し実行されることになる。
【００９５】
次に、図１１に示すフローチャートを参照して本発明の画像表示装置において実行する処理シーケンスについて説明する。この図１１に示すフローに従った処理は、図３に示す画像表示装置において実行される。なお、全体的な処理制御は、図３に示す制御部１０３によって実行される。例えば、制御部１０３はＣＰＵを有しメモリに記録されたコンピュータ・プログラムに従った処理制御を行なう。
【００９６】
図１１に示すフローチャートの各ステップの処理について説明する。まず、ステップＳ１０１において、映像信号処理が実行される。この映像信号処理は、図３に示す映像信号処理部１０１において実行される処理であり、例えばＩＰ変換処理、ｎ倍速化処理、レベル制御処理などの処理であり、それぞれの表示態様に応じた処理が実行される。
【００９７】
次に、ステップＳ１０２において、ＡＣ駆動パターンを決定する。これは、図３に示すＡＣ駆動パターン決定部１２２において実行される処理である。ＡＣ駆動パターン決定部１２２は、液晶パネル１２４に表示される画像の態様に応じてＡＣ駆動パターンを決定する。液晶パネル１２４に表示される画像の態様は、例えばユーザ入力部１０４においてユーザが設定可能であり、ユーザ入力部１０４を介して入力された情報が制御部１０３に入力され、制御部１０３から、液晶モジュール１２０のＡＣ駆動パターン決定部１２２に入力され、ＡＣ駆動パターン決定部１２２は、入力情報に基づいて、表示態様に応じたＡＣ駆動パターンを決定する。たとえば４フレームを周期として、［＋］［＋］［−］［−］のＡＣ駆動とするという設定を決定する。
【００９８】
次に、ステップＳ１０３において、決定したＡＣ駆動パターンに従って極性設定を変更してＡＣ駆動を実行して画像出力を実行する。これは、図３に示す液晶モジュール１２０のＡＣ駆動制御部１２１における処理であり、ＡＣ駆動制御部１２１は、映像信号処理部１０１から映像信号および、水平同期信号（Ｈ＿Ｓｙｎｃ）および垂直同期信号（Ｖ＿Ｓｙｎｃ）を入力し、ＡＣ駆動パターン決定部１２２から入力するＡＣ駆動パターン情報に基づいて極性変更をおこないながらデータドライバ１２３ａ，ｂを駆動して、液晶パネル１２４に画像データの表示処理を行なう。
【００９９】
本発明の画像処理装置では、ある注目画素（または画素ライン）において時間方向で同じ信号処理を実行する画素の組みを設定し、この同じ信号処理ペアを１組として、＋と−とを交互に切り替えるＡＣ駆動を実行する。この処理によって、それぞれの同一信号処理ペアの表示において［＋］，［−］の交互に切り替えが実行され、＋，−のバランスが保たれ、［＋］または［−］の電圧の累積を発生させることがなく、焼き付きの発生可能を低減させることが可能となる。
【０１００】
なお、上述の実施例では、図３に示す構成、すなわち、ＡＣ駆動パターン決定部１２２を液晶モジュール１２０内の独立構成要素として設定した例について説明したが、ＡＣ駆動パターン決定処理は、映像信号処理部１０１において実行する構成としてもよい。この処理構成について、図１２を参照して説明する。
【０１０１】
図１２に示す構成は、図３に示す構成と異なり、ＡＣ駆動パターン決定部１２２を液晶モジュール１２０内の独立構成要素とすることなく、ＡＣ駆動パターン決定処理を、映像信号処理部１０１において実行する構成とした例である。例えばユーザ入力部１０４においてユーザが設定した画像の表示態様情報が制御部１０３を介して映像信号処理部１０１に入力され、映像信号処理部１０１において表示態様に応じたＡＣ駆動パターンを決定する。映像信号処理部１０１は、この決定情報に基づいて、ＡＣ駆動パターン選択信号をＡＣ駆動制御部１２１に入力する。ＡＣ駆動制御部１２１は、映像信号処理部１０１から入力するＡＣ駆動パターン選択信号に基づいて、予め準備された複数のＡＣ駆動パターンから、１つの駆動パターンを選択してＡＣ駆動を実行する。
【０１０２】
さらに、ＡＣ駆動パターンをあらかじめ準備するのではなく、極性設定情報を逐次、映像信号処理部１０１からＡＣ駆動制御部１２１に入力して、逐次極性設定を行ってＡＣ駆動を行なう構成としてもよい。この処理構成について図１３を参照して説明する。
【０１０３】
例えばユーザ入力部１０４においてユーザが設定した画像の表示態様情報が制御部１０３を介して映像信号処理部１０１に入力され、映像信号処理部１０１において表示態様に応じたＡＣ駆動パターンを決定し、決定したパターンに応じた極性を逐次決定し、決定した極性を指示するフラグを映像信号処理部１０１からＡＣ駆動制御部１２１に入力する。ＡＣ駆動制御部１２１は入力フラグに応じて、逐次極性設定を行ってＡＣ駆動を行なう。
【０１０４】
また、表示態様に応じて決定されるＡＣ駆動パターンに応じた極性設定を、ＡＣ駆動制御部１２１において実行する構成としてもよい。例えば図１４に示すユーザ入力部１０４においてユーザが設定した画像の表示態様情報が制御部１０３を介して液晶モジュール１２０のＡＣ駆動制御部１２１に入力され、ＡＣ駆動制御部１２１において表示態様に応じたＡＣ駆動パターンを決定し、決定したパターンに応じた極性を逐次決定し、決定した極性信号を映像信号に併せてデータドライバ１２３に出力して、逐次極性設定を行ってＡＣ駆動を行なう。
【０１０５】
このような様々な構成が可能である。いずれの構成においても、ある注目画素（または画素ライン）において時間方向で同じ信号処理を実行する画素の組みを設定し、この同じ信号処理ペアを１組として、＋と−とを交互に切り替えるＡＣ駆動を実行する。この処理によって、それぞれの同一信号処理ペアの表示において［＋］，［−］の交互に切り替えが実行され、＋，−のバランスが保たれ、［＋］または［−］の電圧の累積を発生させることがなく、焼き付きの発生可能を低減させることが可能となる。
【０１０６】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１０７】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１０８】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１０９】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０１１０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１１１】
以上、説明したように、本発明の一実施例の構成によれば、液晶パネルに対する印加電圧を制御することで映像表示制御を行なうＡＣ駆動制御部の制御処理を改善し、出力レベルの調整処理などが実行された場合においても、印加電圧の偏りの発生を抑制し電化の直流累積を防止が可能となる。具体的には、ある注目画素（または画素ライン）において時間方向で同じ信号処理を実行する画素の組みを設定し、この同じカテゴリの信号処理ペアを１組として、＋と−とを交互に切り替えるＡＣ駆動を実行する。この処理によって、それぞれの同一信号処理ペアの表示において［＋］，［−］の交互に切り替えが実行され、＋，−のバランスが保たれ、［＋］または［−］の電圧の累積を発生させることがなく、焼き付きの発生可能性を低減した表示装置が実現される。
【図面の簡単な説明】
【０１１２】
【図１】ＡＣ駆動処理例について説明する図である。
【図２】補間画素を持つ画像表示におけるＡＣ駆動の問題点について説明する図である。
【図３】本発明の画像表示装置における信号処理回路構成例を示すブロック図である。
【図４】本発明の画像表示装置におけるＡＣ駆動処理例（処理例１）について説明する図である。
【図５】本発明の画像表示装置におけるＡＣ駆動処理例について説明する図である。
【図６】本発明の画像表示装置におけるＡＣ駆動処理例（処理例２）について説明する図である。
【図７】本発明の画像表示装置における映像信号処理部の信号処理回路構成例を示す図である。
【図８】本発明の画像表示装置におけるＡＣ駆動処理例（処理例３）について説明する図である。
【図９】本発明の画像表示装置における映像信号処理部の信号処理回路構成例を示す図である。
【図１０】本発明の画像表示装置におけるＡＣ駆動処理例（処理例４）について説明する図である。
【図１１】本発明の画像表示装置において実行する処理シーケンスについて説明するフローチャートを示す図である。
【図１２】本発明の画像表示装置における信号処理回路構成例を示すブロック図である。
【図１３】本発明の画像表示装置における信号処理回路構成例を示すブロック図である。
【図１４】本発明の画像表示装置における信号処理回路構成例を示すブロック図である。
【符号の説明】
【０１１３】
１１  表示部
１２  注目画素
１０１  映像信号処理部
１０２  フレームメモリ
１０３  制御部
１０４  ユーザ入力部
１２０  液晶モジュール
１２１  ＡＣ駆動制御部
１２２  ＡＣ駆動パターン決定部
１２３  データドライバ
１２４  液晶パネル
２００  表示部
２０１  注目画素
２５０  表示部
２７１  注目画素
３０１  フレーム制御部
３０２  高域強調サブフレーム生成部
３０３  ローパスフィルタ（ＬＰＦ）
３０４  セレクタ
３２１  ハイパスフィルタ（ＨＰＦ）
３２２  加算器
３５１  注目画素
３７１  ゲイン制御部
３７２  セレクタ
３８１  注目画素
【図１】
2007304206.tif 000003
【図３】
2007304206.tif 000004
【図５】
2007304206.tif 000005
【図７】
2007304206.tif 000006
【図９】
2007304206.tif 000007
【図１１】
2007304206.tif 000008
【図１２】
2007304206.tif 000009
【図１３】
2007304206.tif 000010
【図１４】
2007304206.tif 000011
【図２】
2007304206.tif 000012
【図４】
2007304206.tif 000013
【図６】
2007304206.tif 000014
【図８】
2007304206.tif 000015
【図１０】
2007304206.tif 000016
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
液晶パネルからなる表示部と、
前記表示部に対する画像表示態様に基づいて信号処理を実行する映像信号処理部と、
前記映像信号処理部の信号処理結果を入力し、前記表示部を構成する液晶パネルに対する印加電圧を制御することで映像表示制御を行なうＡＣ駆動制御部とを有し、
前記ＡＣ駆動制御部は、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とする画像表示装置。
【請求項２】
前記画像表示装置は、
前記表示部に対する画像表示態様に基づいてＡＣ駆動パターンを決定するＡＣ駆動パターン決定部を有し、
前記ＡＣ駆動制御部は、
前記ＡＣ駆動パターン決定部において決定されたＡＣ駆動パターンに従って、前記同一信号処理ペアごとに＋と−の極性を交互に切り替えるＡＣ駆動制御を実行する構成であることを特徴とする請求項１に記載の画像表示装置。
【請求項３】
前記ＡＣ駆動制御部は、
前記映像信号処理部からの指示信号を入力し、該指示信号に基づいて前記同一信号処理ペアごとに＋と−の極性を交互に切り替えるＡＣ駆動制御を実行する構成であることを特徴とする請求項１に記載の画像表示装置。
【請求項４】
前記ＡＣ駆動制御部は、
前記同一信号処理ペアとして、
ＩＰ変換において生成する補間ライン画素であり出力レベルの低下処理が実行された補間画素ペアと、
前記補間ライン以外のオリジナル画素ペアを抽出し、
前記補間画素ペアを構成する各補間画素ごとに極性の切り替えを行なうとともに、前記オリジナル画素ペアを構成する各オリジナル画素ごとに極性の切り替えを実行する構成であることを特徴とする請求項１に記載の画像表示装置。
【請求項５】
前記ＡＣ駆動制御部は、
ｎ倍速化（ｎは２以上の整数）処理のなされた画像データから前記補間画素ペアと、前記オリジナル画素ペアを抽出し、補間画素ごとの極性切り替えと、オリジナル画素ごとの極性切り替えを実行する構成であることを特徴とする請求項４に記載の画像表示装置。
【請求項６】
前記映像信号処理部は、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを前記ＡＣ駆動制御部に交互に出力する出力制御部を有し、
前記ＡＣ駆動制御部は、
前記同一信号処理ペアとして、
前記高域強調サブフレームに対応する高域強調サブフレーム対応画素ペアと、
前記高域抑圧サブフレームに対応する高域抑圧サブフレーム対応画素ペアを抽出し、
前記高域強調サブフレーム対応画素ペアを構成する各画素ごとに極性の切り替えを行なうとともに、前記高域抑圧サブフレーム対応画素ペアを構成する各画素ごとに極性の切り替えを実行する構成であることを特徴とする請求項１に記載の画像表示装置。
【請求項７】
前記映像信号処理部は、
入力画像フレームを時分割して複数のサブフレームを生成するフレーム制御部と、
前記フレーム制御部の生成したサブフレームに対するフィルタリング処理を行い、高域強調サブフレームを生成する高域強調サブフレーム生成部と、
前記フレーム制御部の生成したサブフレームに対するフィルタリング処理を行い、高域抑圧サブフレームを生成する高域抑圧サブフレーム生成部と、
前記高域強調サブフレーム生成部の生成した高域強調サブフレームと、前記高域抑圧サブフレーム生成部の生成した高域抑圧サブフレームとを交互に出力する第１出力制御部と、
前記第１出力制御部の出力するサブフレーム画像の出力レベル調整を行なうゲイン制御部と、
前記第１出力制御部の出力と、前記ゲイン制御部の出力を入力し、前記ＩＰ変換部の生成した補間画素をゲイン制御部の出力する出力レベル調整信号としたレベル調整補間画素とし、補間画素以外のオリジナル画素信号を前記第１出力制御部の出力するレベル非調整信号としたレベル非調整オリジナル画素として前記ＡＣ駆動制御部に出力する第２出力制御部を有し、
前記ＡＣ駆動制御部は、
前記同一信号処理ペアとして、
（ａ）前記高域強調サブフレームに含まれるオリジナル画素からなる高域強調サブフレームオリジナル画素ペアと、
（ｂ）前記高域強調サブフレームに含まれるレベル調整のなされた補間画素からなる高域強調サブフレーム補間画素ペアと、
（ｃ）前記高域抑圧サブフレームに含まれるオリジナル画素からなる高域抑圧サブフレームオリジナル画素ペアと、
（ｄ）前記高域抑圧サブフレームに含まれるレベル調整のなされた補間画素からなる高域抑圧サブフレーム補間画素ペアを抽出し、
前記（ａ）〜（ｄ）の各画素ペアを構成する各画素ごとに極性の切り替えを実行する構成であることを特徴とする請求項１に記載の画像表示装置。
【請求項８】
液晶パネルからなる表示部の制御を実行する制御信号を生成する制御信号生成装置であり、
映像信号処理部の信号処理結果を入力し、前記表示部を構成する液晶パネルに対する印加電圧を制御することで映像表示制御を行なうＡＣ駆動制御部を有し、
前記ＡＣ駆動制御部は、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とする制御信号生成装置。
【請求項９】
前記制御信号生成装置は、
前記表示部に対する画像表示態様に基づいてＡＣ駆動パターンを決定するＡＣ駆動パターン決定部を有し、
前記ＡＣ駆動制御部は、
前記ＡＣ駆動パターン決定部において決定されたＡＣ駆動パターンに従って、前記同一信号処理ペアごとに＋と−の極性を交互に切り替えるＡＣ駆動制御を実行する構成であることを特徴とする請求項８に記載の制御信号生成装置。
【請求項１０】
前記ＡＣ駆動制御部は、
前記映像信号処理部からの指示信号を入力し、該指示信号に基づいて前記同一信号処理ペアごとに＋と−の極性を交互に切り替えるＡＣ駆動制御を実行する構成であることを特徴とする請求項８に記載の制御信号生成装置。
【請求項１１】
表示部を構成する液晶パネルに対する印加電圧を制御することで映像表示制御を行なうＡＣ駆動制御装置であり、
液晶パネルの各画素について、同一カテゴリの信号処理が実行される２つの時系列上の画素を同一信号処理ペアとして、該同一信号処理ペアごとに＋と−の極性を交互に切り替えるＡＣ駆動制御を実行する構成であることを特徴とするＡＣ駆動制御装置。
【請求項１２】
画像表示装置において画像処理を実行する画像表示制御方法であり、
映像信号処理部において、液晶パネルからなる表示部に対する画像表示態様に基づいて信号処理を実行する映像信号処理ステップと、
ＡＣ駆動制御部において、前記映像信号処理部の信号処理結果を入力し、前記表示部を構成する液晶パネルに対する印加電圧を制御することで映像表示制御を行なうＡＣ駆動制御ステップを有し、
前記ＡＣ駆動制御ステップは、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行することを特徴とする画像表示制御方法。
【請求項１３】
画像表示装置において画像処理を実行させるコンピュータ・プログラムであり、
映像信号処理部において、液晶パネルからなる表示部に対する画像表示態様に基づいて信号処理を実行させる映像信号処理ステップと、
ＡＣ駆動制御部において、前記映像信号処理部の信号処理結果を入力し、前記表示部を構成する液晶パネルに対する印加電圧を制御することで映像表示制御を行なわせるＡＣ駆動制御ステップを有し、
前記ＡＣ駆動制御ステップは、
前記液晶パネルの各画素について、前記映像信号処理部において同一カテゴリの信号処理が実行される２つの時系列上の画素を同一信号処理ペアとして、該同一信号処理ペアごとに＋と−の極性を交互に切り替えるＡＣ駆動制御を実行させるステップであることを特徴とするコンピュータ・プログラム。
【手続補正２】
【補正対象書類名】明細書
【補正対象項目名】００１０
【補正方法】変更
【補正の内容】
【００１０】
しかし、このような表示処理を実行して、図１を参照して説明したＡＣ駆動を実行すると、図２に示すように、例えば、画素１２は、時間ｔ１において［＋］の印加電圧の下にオリジナル画素の表示が実行され、時間ｔ２において［−］の印加電圧の下に輝度レベル０の画素表示が実行され、時間ｔ３において［＋］の印加電圧の下にオリジナル画素の表示が実行され、時間ｔ４において［−］の印加電圧の下に輝度レベル０の画素表示が実行されるというシーケンスとなる。時間ｔ２，ｔ４における輝度レベル０の画素表示は、実質的に印加電圧が０であり、結果として、液晶表示装置の画素１２に対応する画素部分には、［＋］の電圧が累積してしまい、焼き付きを発生させることになる。他の画素部分においても同様の状況となる。
【手続補正３】
【補正対象書類名】明細書
【補正対象項目名】００１８
【補正方法】変更
【補正の内容】
【００１８】
さらに、本発明の画像表示装置の一実施態様において、前記映像信号処理部は、入力画像フレームを時分割して複数のサブフレームを生成するフレーム制御部と、前記フレーム制御部の生成したサブフレームに対するフィルタリング処理を行い、高域強調サブフレームを生成する高域強調サブフレーム生成部と、前記フレーム制御部の生成したサブフレームに対するフィルタリング処理を行い、高域抑圧サブフレームを生成する高域抑圧サブフレーム生成部と、前記高域強調サブフレーム生成部の生成した高域強調サブフレームと、前記高域抑圧サブフレーム生成部の生成した高域抑圧サブフレームとを交互に出力する第１出力制御部と、前記第１出力制御部の出力するサブフレーム画像の出力レベル調整を行なうゲイン制御部と、前記第１出力制御部の出力と、前記ゲイン制御部の出力を入力し、前記ＩＰ変換部の生成した補間画素をゲイン制御部の出力する出力レベル調整信号としたレベル調整補間画素とし、補間画素以外のオリジナル画素信号を前記第１出力制御部の出力するレベル非調整信号としたレベル非調整オリジナル画素として前記ＡＣ駆動制御部に出力する第２出力制御部を有し、前記ＡＣ駆動制御部は、前記同一信号処理ペアとして、
（ａ）前記高域強調サブフレームに含まれるオリジナル画素からなる高域強調サブフレームオリジナル画素ペアと、
（ｂ）前記高域強調サブフレームに含まれるレベル調整のなされた補間画素からなる高域強調サブフレーム補間画素ペアと、
（ｃ）前記高域抑圧サブフレームに含まれるオリジナル画素からなる高域抑圧サブフレームオリジナル画素ペアと、
（ｄ）前記高域抑圧サブフレームに含まれるレベル調整のなされた補間画素からなる高域抑圧サブフレーム補間画素ペアを抽出し、
前記（ａ）〜（ｄ）の各画素ペアを構成する各画素ごとに極性の切り替えを実行する構成であることを特徴とする。
【手続補正４】
【補正対象書類名】明細書
【補正対象項目名】００２８
【補正方法】変更
【補正の内容】
【００２８】
以下、図面を参照しながら本発明の画像表示装置、制御信号生成装置、および画像表示制御方法、並びにコンピュータ・プログラムの詳細について説明する。まず、図３を参照して、本発明の画像表示装置の一構成例について説明する。本発明の画像表示装置は図３に示すように映像信号処理部１０１、フレームメモリ１０２、制御部１０３、ユーザ入力部１０４、液晶モジュール１２０を有する。液晶モジュール１２０は、ＡＣ駆動制御部１２１、ＡＣ駆動パターン決定部１２２、データドライバ１２３、液晶パネル１２４を有する。
【手続補正５】
【補正対象書類名】明細書
【補正対象項目名】００５８
【補正方法】変更
【補正の内容】
【００５８】
本発明の画像表示装置では、先の処理例１において説明したように、ある注目画素（または画素ライン）において時間方向で同じ信号処理を実行する画素の組みを設定し、この同じ信号処理ペアを１組として、＋と−とを交互に切り替えるＡＣ駆動を実行する。
【手続補正６】
【補正対象書類名】明細書
【補正対象項目名】００７７
【補正方法】変更
【補正の内容】
【００７７】
本発明の画像表示装置では、先の処理例１において説明したように、ある注目画素（または画素ライン）において時間方向で同じ信号処理を実行する画素の組みを設定し、この同じ信号処理ペアを１組として、＋と−とを交互に切り替えるＡＣ駆動を実行する。
【手続補正７】
【補正対象書類名】明細書
【補正対象項目名】００８９
【補正方法】変更
【補正の内容】
【００８９】
本発明の画像表示装置では、先の処理例１において説明したように、ある注目画素（または画素ライン）において時間方向で同じ信号処理を実行する画素の組みを設定し、この同じ信号処理ペアを１組として、＋と−とを交互に切り替えるＡＣ駆動を実行する。
【手続補正８】
【補正対象書類名】明細書
【補正対象項目名】００９９
【補正方法】変更
【補正の内容】
【００９９】
本発明の画像表示装置では、ある注目画素（または画素ライン）において時間方向で同じ信号処理を実行する画素の組みを設定し、この同じ信号処理ペアを１組として、＋と−とを交互に切り替えるＡＣ駆動を実行する。この処理によって、それぞれの同一信号処理ペアの表示において［＋］，［−］の交互に切り替えが実行され、＋，−のバランスが保たれ、［＋］または［−］の電圧の累積を発生させることがなく、焼き付きの発生可能を低減させることが可能となる。
【手続補正９】
【補正対象書類名】図面
【補正対象項目名】図１０
【補正方法】変更
【補正の内容】
【図１０】
2007304206.tif 000017